(57)【要約】【課題】落書きの自由度が増し、プリントシールの新たな楽しみ方が可能な自動プリントシール作成販売機を提供する。【解決手段】タッチパネル式ディスプレイ装置（３３）のスクリーン面を複数の表示領域に区分し、それぞれの表示領域に、カメラによる撮影画像と別途選択された背景画像とを組み合わせて成る合成画像を表示すると共に、それら合成画像の上に、表示領域の境界と無関係に、ラクガキ用タッチペン（３４）で所望のラクガキ画像を記入可能なよう構成し、当該ラクガキ画像を上記合成画像と重ねてラクガキ重畳画像として記録し、更に、それらのラクガキ重畳画像の表示領域を、制御入力装置（３３１）からの指令信号により自在に交換、変更し得るよう構成し、最終的に得られた複数駒のラクガキ重畳画像データをシールプリンタ（３５）へ出力してプリントさせる手段を備えたこと；  を特徴とする。【選択図】  図２
2005012503.tif 000002
【特許請求の範囲】
【請求項１】
撮影した複数駒の画像を電子データとして記録し、出力し得るカメラ（３１，３２）と、
スクリーン面に画像入力用センサーが配置されたタッチパネル式ディスプレイ装置（３３）と、
プレイヤにより操作され、上記ディスプレイ装置（３３）のスクリーンにタッチして画像入力用センサーを作動させる少なくとも１本のラクガキ用タッチペン（３４）と、
使用者により操作される制御入力装置（３３１）と、
指定された画像をシール用紙にプリントするシールプリンタ（３５）と、
上記カメラ（３１，３２）により撮影され記録された電子データをカメラから読み出し、記録し、加工し若しくは加工することなく、ディスプレイ装置（３３）に表示すべき画像データ信号を編成し、これをディスプレイ装置に出力して所望の画像を表示させると共に、上記シールプリンタ（３５）に当該所望の画像をプリントさせる画像編成回路（３７）と、
を備えた自動プリントシール作成販売機において；
上記画像編成回路（３７）が、制御入力装置（３３１）の出力に応動して、ディスプレイ装置（３３）のスクリーン面を複数の表示領域に区分し、それぞれの表示領域に、カメラが撮影した複数駒の画像の中から指定された駒の画像と別途選択された背景画像を組み合わせて成る合成画像を表示すると共に、
それら合成画像の上に、表示領域の境界と無関係に、上記ラクガキ用タッチペン（３４）でディスプレイ装置のスクリーン上に記入された所望のラクガキ画像を検知し、上記合成画像と重ねてラクガキ重畳画像として記録し、
更に、それらのラクガキ重畳画像の表示領域を、制御入力装置（３３１）からの指令信号により自在に交換、変更し得るよう構成し、
最終的に得られた複数駒のラクガキ重畳画像データをシールプリンタ（３５）へ出力して、シール用紙に所望の画像をプリントさせる手段を備えたこと；
を特徴とする上記の自動プリントシール作成販売機。
【請求項２】
カメラ（３１，３２）が、連写撮影が可能なカメラである請求項１に記載の自動プリントシール作成販売機。
【請求項３】
カメラ（３１，３２）が、動画撮影が可能なカメラである請求項１に記載の自動プリントシール作成販売機。
【請求項４】
ラクガキ用タッチペン（３４）のラインパターンが変更可能である請求項１に記載の自動プリントシール作成販売機。
【請求項５】
ラクガキ用タッチペン（３４）による書込みが、ディスプレイ装置（３３）のスクリーン面上の複数の表示領域の境界線を越える際に、所定のイベントを生じさせるように構成した請求項１に記載の自動プリントシール作成販売機。
【請求項６】
一時的に、プリントシール作成モードとは別のモードに切替え可能なように構成した請求項１に記載の自動プリントシール作成販売機。
【発明の詳細な説明】
【０００１】
【発明の属する技術分野】
本発明は、自動プリントシール作成販売機に関し、特に、撮影された画像に客が所望の文字や図形を記入（落書き）したものをシール用紙にプリントして客に提供し得る自動プリントシール作成販売機の改良に関する。
【０００２】
【従来の技術】
ハウジング内に入った１人又は複数の客を、客の好みのポーズで撮影し、その画像を客の希望する背景画像や文字等と合成してシール用紙に複数駒プリントして発行する自動プリントシール作成販売機は、遊技場、デパート、イベント会場等に設置され、遊び感覚でスナップ写真を撮るという目的で広く楽しまれている。通常は、同じ画像が同時に複数枚並べてプリントアウトされるので、それらを仲間で分けあい、各人がストックブックに貼り付けて保存し、コレクションにすることも楽しみの一つとされている。
このような自動プリントシール作成販売機には、通常、タッチパネル式ディスプレイ装置とラクガキ用タッチペンとが備えられ、撮影した画像を当該ディスプレイ装置の画面に表示し、その上に客がラクガキ用タッチペンを用いて所望の文字や図形（落書き）を記入し、この落書きを撮影画像と合成したものをシール用紙にプリントして提供し得るようになっている。
【０００３】
そのような落書き可能な自動プリントシール作成販売機において、ディスプレイ画面を２つの表示領域に分け、２人の客が各領域にそれぞれ個別に落書きをすることができるように構成したものは従来から知られている。
しかしながら、各表示領域ごとにのみ落書き可能とする構成では、それぞれの落書きが自己完結的となり、面白みに欠け、発展性に乏しいという問題があった。
【０００４】
【発明が解決しようとする課題】
本発明は、上記の問題点を解決するためになされたものであり、その目的とするところは、これまでに比べて落書きの自由度が増し、さまざまなバリエーションの落書きが可能となり、落書きを介して友人同士のコミュニケーションや連帯感を深めること等が可能な自動プリントシール作成販売機を提供することにある。
【０００５】
【課題を解決するための手段】
本発明の上記の目的は、
撮影した複数駒の画像を電子データとして記録し、出力し得るカメラと、
スクリーン面に画像入力用センサーが配置されたタッチパネル式ディスプレイ装置と、
プレイヤにより操作され、上記ディスプレイ装置のスクリーンにタッチして画像入力用センサーを作動させる少なくとも１本のラクガキ用タッチペンと、
使用者により操作される制御入力装置と、
指定された画像をシール用紙にプリントするシールプリンタと、
上記カメラにより撮影され記録された電子データをカメラから読み出し、記録し、加工し若しくは加工することなく、ディスプレイ装置に表示すべき画像データ信号を編成し、これをディスプレイ装置に出力して所望の画像を表示させると共に、上記シールプリンタに当該所望の画像をプリントさせる画像編成回路と、
を備えた自動プリントシール作成販売機において；
上記画像編成回路が、制御入力装置の出力に応動して、ディスプレイ装置のスクリーン面を複数の表示領域に区分し、それぞれの表示領域に、カメラが撮影した複数駒の画像の中から指定された駒の画像と別途選択された背景画像を組み合わせて成る合成画像を表示すると共に、
それら合成画像の上に、表示領域の境界と無関係に、上記ラクガキ用タッチペンでディスプレイ装置のスクリーン上に記入された所望のラクガキ画像を検知し、上記合成画像と重ねてラクガキ重畳画像として記録し、
更に、それらのラクガキ重畳画像の表示領域を、制御入力装置からの指令信号により自在に交換、変更し得るよう構成し、
最終的に得られた複数駒のラクガキ重畳画像データをシールプリンタへ出力して、シール用紙に所望の画像をプリントさせる手段を備えたこと；
を特徴とする上記の自動プリントシール作成販売機によって達成できる。
【０００６】
カメラとしては、客の指示により１駒づつ撮影可能なもののほか、連写撮影や動画撮影が可能なものも好適に用いられる。
ラクガキ用タッチペンのラインパターンが変更可能なように構成することも推奨される。
また更に、ラクガキ用タッチペンによる書込みが、ディスプレイ装置のスクリーン面上の複数の表示領域の境界線を越える際に、所定のイベントを生じさせるように構成したり、一時的に、プリントシール作成モードとは別のモードに切替え可能なように構成したりすることも推奨される。
【０００７】
【発明の実施の形態】
以下、図面を参照しつゝ本発明を具体的に説明する。
図１は、本発明に係る自動プリントシール作成販売機の一実施例の説明図、図２は、図１に示した自動プリントシール作成販売機の回路構成を示すブロック図、図３〜図６は、撮影した４駒の画像に順次落書きを加えてゆく過程を示す説明図、図７は、落書きのもう一つの例を示す説明図、図８は、ラクガキ用タッチペンのラインパターンの変更例を示す説明図、図９は、プリントシール作成モードとは別のモードへの切替え状態を示す説明図である。
【０００８】
図１中、１はハウジング、１ａはカーテンで仕切られる出入口、２は１人又は数人の使用者（客）が入る被写体スペース、３はシール作成販売機、３１は正面カメラ、３２は上部カメラ、３３はタッチパネル式ディスプレイ装置、３３１はタッチパネル式の操作部（制御入力装置）、３４はラクガキ用タッチペン、３５１はシールプリンタ３５（図２参照）のプリントシール発行口、３６は料金徴収装置、４ａ及び４ｂは室内照明用の蛍光灯である。
ディスプレイ装置３３上に設けられたタッチパネル式の操作部３３１は、使用者により操作され、撮影のための諸選択や、落書き記入時の画像配列の変更、等々の作業を行う制御入力装置として機能する。
【０００９】
また、図２中、３１，３２は前記カメラ、３３はタッチパネル式ディスプレイ装置、３３１はタッチパネル式の操作部（制御入力装置）、３４はラクガキ用タッチペン、３５はシールプリンタ、３６は料金徴収装置、３７は画像編成回路、３８１はサウンド回路、３８２はスピーカであり、また、画像編成回路３７中において、３７１は演算装置（ＣＰＵ）、３７２はクロック回路、３７３はＲＯＭ、３７４はＲＡＭ、３７５は画像処理回路、３７６及び３７７はカメラ制御回路、３７８はデータバスである。
【００１０】
ハウジング１内は、シール作成販売機３の上段左右に設けた蛍光灯４ａ及び下段左右に設けた蛍光灯４ｂと、その他必要に応じて設けられる照明ランプによって常時照明されるようになっている。
ハウジング１の出入口１ａから被写体スペース２に入った使用者は、料金徴収装置３６に所定の料金を投入し、シール作成販売機３のタッチパネル式ディスプレイ装置３３の一部に設けたタッチパネル式のボタンを配列した操作部３３１を操作して、ディスプレイ装置３３上に表示される様々な背景画像の中から希望する背景画像を選択する。次いで、正面カメラ３１又は上部カメラ３２のいずれで撮影を行なうかを選択した上で、操作部３３１の撮影ボタンを押すと、セルフタイマー形式で数秒後に撮影が行なわれるので、その数秒の間に選択したカメラに向かってポーズを決めるようにする。
撮影時には、正面の上段の蛍光灯４ａよりも奥側、及び下段の蛍光灯４ｂよりも奥側にそれぞれ設けたストロボライト（図では省略）が、カメラと同期して同時に発光するようになっている。
【００１１】
カメラ３１又は３２が、撮影ボタンを押すたびに１駒づつ撮影するタイプのものである場合には、さまざまなポーズをとりながら撮影ボタンを複数回押し、複数駒の撮影を行う。
また、カメラ３１又は３２が、１秒間に３〜５駒程度づつ数秒間にわたって自動的に撮影を続ける連写カメラであったり、或いはまた、動画撮影が可能なカメラである場合には、客は、撮影ボタンを１回押した後、数秒間、被写体スペース２内で動いたり、さまざまなポーズをとって、各種映像が多数枚自動撮影されるように心掛ける。
【００１２】
一連の撮影が終わると、ディスプレイ装置３３の画面上に、撮影した人物像を含む映像が複数枚並べて表示されるので、客は操作部３３１を利用して、プリントシール化を希望する画像を数枚選択すると共に、それらの画像に結合すべき背景画像を選択し、その合成画像を画面上に並べて表示させる。
然るのち、客は、後述する方法で、それらの合成画像上にラクガキ用タッチペン３４を用いて自筆の文字、図形等を記入する。
これら一連の作業が終了すると、シール作成販売機３内で所定の画像処理とプリントが行なわれ、数十秒後に、撮影した人物像と、選択した背景画像と、自筆の落書きとの合成、重畳画像がプリントされた小さなシールが台紙に複数枚貼り付いた状態で、プリントシール発行口３５１から排出される。
【００１３】
而して、本発明に係る自動プリントシール作成販売機は、上記の如く、ディスプレイ装置の画面上に形成される複数の表示領域に、客が選択した複数枚の画像をそれぞれ配置した後、それらの画像上にラクガキ用タッチペン３４を用いて所望の落書きを行えるようになっているが、その場合、従来のものと異なり、複数の表示領域間の境界線を越えて自由に落書きができるようになっている。この点を、図３〜図６を参照しつつ説明する。
【００１４】
図３には、ディスプレイ装置３３の画面が、縦横４つの表示領域に区分され、各領域にそれぞれ異なった画像が並べられた状態が示されている。これらの各画像は、人物の背後に背景画像が合成されているが、図面では省略してある。
また、これら４枚の画像の配置は、前記操作部３３１を利用して自由に変更できるようになっている。
先ず、図３に示した配置において、ラクガキ用タッチペン３４を用いて、下段２枚の画像の境界線にまたがって「Ｄ」という文字の落書きを行う。
【００１５】
次に、図４に示すように、図３では右下にあった画像を左下へ、左下にあった画像を右上へ、右上にあった画像を右下へ、それぞれ入れ替えた後、右側２枚の画像の境界線にまたがって「Ｃ」という文字の落書きを行う。
【００１６】
次いで、図５に示すように、図４では右上にあった画像を右下のものと入れ替えた後、上段２枚の画像の境界線にまたがって「Ｂ」という文字の落書きを行い、左側２枚の画像の境界線にまたがって「Ａ」という文字の落書きを行う。
【００１７】
最後に、図６に示すように、図５では右上にあった画像を左上のものと入れ替えた後、４枚の画像全部にまたがって「最新〜の線〜！！！  」という文字と線から成る落書きを行う。
この図６に示された状態の４枚の画像をシール用紙にプリントし、これらの画像を、例えば、被写体となった４人の友人が記念としてそれぞれ１枚づつ分けあって所持するようにする。
後日、これらの画像を持ち寄って組み合わせると、図３〜図６に示した状態が再現され、各落書き「最新〜の線〜！！！  」、「Ａ」、「Ｂ」、「Ｃ」、「Ｄ」も順次再現できるので、その再現手順をゲーム感覚で楽しむことができ、また、これら一組の画像を分け合った４人の仲間の連帯意識を高め合うこともできる。
【００１８】
図７には、上記と同様に縦横に並べた４枚の画像にまたがるように、小さなハートのマークを並べて記入し、更に、左側２枚の画像の境界線にまたがって矢印を記入した例が示されている。
【００１９】
このように、本発明においては、複数の画像の表示領域の境界と無関係に落書きを行うことができ、そのラクガキ重畳画像をシールにプリントすることができるので、落書きのバリエーションを増大させ、プリントシールの新たな楽しみ方を提供し得るものである。
なお、落書きを行う際に、タッチペン３４が画像の表示領域の境界線を通過するとき、所定の音楽を流すなど、各種イベントを生じさせるように構成することも推奨される。
【００２０】
図８は、ラクガキ用タッチペン３４のラインパターンを、単なる線のみではなく、図示するような一連の小さなハートマークや、花マーク等に変更可能なように構成した実施例を示している。
このようにタッチペン３４のラインパターンを変更するには、例えば、ディスプレイ装置３３の画面の一端側を押すことにより切り替わるようにしてもよく、或いはまた、前記操作部３３１を利用して切り替えるようにしてもよい。
【００２１】
図９は、ラクガキ用タッチペン３４で、ディスプレイ装置３３の画面の一端側を押すと、「隠しモード」（プリントシール作成モードとは別のモード）に切り替わるように構成した例を示している。「隠しモード」の一例としては、例えば、ゲームモードを採用することができ、落書き終了後、プリントシールが完成するまでの待ち時間中に、ミニゲームを楽しむことができるように構成してもよい。
【００２２】
次に、上記の如くして、カメラ３１，３２により撮影された画像に、客が選択した背景画像を合成し、更にこれに落書きによる文字等を重畳した後、シール用紙にプリントして発行するという一連の作動を実行する画像編成回路３７の構成を、図２を参照しつつ説明する。
画像編成回路３７は、画像編成のための一種のコンピューターを構成するものであり、演算装置（ＣＰＵ）３７１、クロック回路３７２、ＲＯＭ３７３、ＲＡＭ３７４、画像処理回路３７５、カメラ制御回路３７６，３７７、データバス３７８等々から構成され、必要に応じて大容量のハードディスク等が設けられる場合もある。また、画像処理回路３７５及びカメラ制御回路３７６，３７７以外の構成要素は、画像編成作業のみならず、それ以外の作動、例えば料金徴収額の適否の判別とか、使用者へのアナウンスのためのサウンド回路への指令信号の授受等の作動、等々の制御も兼用して行うものである。
【００２３】
ＣＰＵ等から成る演算装置３７１は、自動プリントシール作成販売機全体の作動を統括制御するものであり、画像処理回路３７５やカメラ制御回路３７６，３７７の作動の制御もこの演算装置１からの指令に基づいて行なわれる。
クロック回路３７２は、演算装置１その他のハードウェアの作動のために必要なクロックパルスを発振する回路である。
ＲＯＭ３７３は、自動プリントシール作成販売機の作動に必要なすべてのデータを記録したＲＯＭであり、作動用プログラムのほか、画像データや音声データ等も記録されている。
ＲＡＭ３７４は、演算装置１の作動に必要なデータの授受を行なうＲＡＭである。
画像処理回路３７５は、演算装置１からの指令に従い、カメラ３１，３２で撮影した画像データに客が選択した背景画像を合成し、更に、それらを客の発生する配置でディスプレイ画面上に表示し、ラクガキ用タッチペン３４でタッチパネル式ディスプレイ装置３３の画面上に書き込まれた文字や図形等を結合、重畳して、ディスプレイ装置３３に表示すると共に、シールプリンタ３５でプリントするための画像データの編成処理を行う回路である。
カメラ制御回路３７６，３７７は、カメラ３１，３２の撮影動作を制御すると共に、撮影された画像データをカメラ３１，３２から上記画像処理回路３７５へ送出する回路である。
データバス３７８は、上記の如き各回路要素間のデータの伝送を行う線路である。
【００２４】
本発明の自動プリントシール作成販売機における主要な機能、即ち、カメラ３１，３２により被写体等を撮影し、その撮影された画像の電子データを読み出し、記録し、背景部分について上記の如き画像処理を行うと共に、使用者によって書き込まれた文字等と合成して所望の画像データ信号を編成し、ディスプレイ装置に出力して、当該所望の画像を表示させると共に、シールプリンタに出力して、所望の画像をプリントし発行するという一連の作動は、上記ＲＯＭ３７３から読み出され、演算装置３７１や画像処理回路３７５にインストールされたコンピュータープログラムを、これら演算装置３７１、ＲＡＭ３７４、画像処理回路３７５等のハードウェア資源を用いて実行することによって実現されるものである。
【００２５】
なお、本発明の上記作動を実現するため、画像処理回路３７５等で実行されるコンピュータープログラムは、
制御入力装置３３１の出力に応動して、ディスプレイ装置３３のスクリーン面を複数の表示領域に区分するステップと、
それぞれの表示領域に、カメラが撮影した複数駒の画像の中から指定された駒の画像と別途選択された背景画像を組み合わせて成る合成画像を表示するステップと、
それら合成画像の上に、表示領域の境界と無関係に、ラクガキ用タッチペン３４でディスプレイ装置のスクリーン上に記入された所望のラクガキ画像を検知し、上記合成画像と重ねてラクガキ重畳画像として記録するステップと、
更に、それらのラクガキ重畳画像の表示領域を、制御入力装置３３１からの指令信号により自在に交換、変更するステップと、
最終的に得られた複数駒のラクガキ重畳画像データをシールプリンタ３５へ出力して、シール用紙に所望の画像をプリントさせるステップと、
を含むものである。
【００２６】
更にまた、上記コンピュータープログラムに、必要に応じて、
ラクガキ用タッチペン３４のラインパターンを変更するステップを含ませたり、
ラクガキ用タッチペン３４による書込みが、タッチパネル式ディスプレイ装置３３のスクリーン面上の複数の表示領域の境界線を越える際に、所定のイベントを生じさせるステップを含ませたり、
一時的に、プリントシール作成モードとは別のモードに切り替えるステップを含ませたり、することも可能である。
これらのコンピュータープログラムは、演算装置３７１、ＲＡＭ３７４、画像処理回路３７５等のハードウェア資源を用いて実行することによって実現されるものである。
【００２７】
なお、本発明は上記の実施例に限定されるものでなく、その目的の範囲内において上記の説明から当業者が容易に想到し得るすべての変更実施例を包摂するものである。
【００２８】
【発明の効果】
本発明は以上の如く構成されるから、本発明によるときは、従来製品に比べて落書きの自由度が増し、さまざまなバリエーションの落書きが可能となり、落書きを介して友人同士のコミュニケーションや連帯感を深めることが可能となる等、プリントシールの新たな楽しみ方の展開が可能な自動プリントシール作成販売機を提供し得るものである。
【図面の簡単な説明】
【図１】本発明に係る自動プリントシール作成販売機の一実施例の説明図である。
【図２】図１に示した自動プリントシール作成販売機の回路構成を示すブロック図である。
【図３】撮影した４駒の画像に落書きを加えてゆく第１段階を示す説明図である。
【図４】その第２段階を示す説明図である。
【図５】その第３段階を示す説明図である。
【図６】その第４段階を示す説明図である。
【図７】落書きのもう一つの例を示す説明図である。
【図８】ラクガキ用タッチペンのラインパターンの変更例を示す説明図である。
【図９】プリントシール作成モードとは別のモードへの切替え状態を示す説明図である。
【符号の説明】
１                ハウジング
１ａ      出入口
２          被写体スペース
３          シール作成販売機
３１          正面カメラ
３２      上部カメラ
３２１    フィルタ駆動装置
３３      タッチパネル式ディスプレイ装置
３３１    タッチパネル式操作部（制御入力装置）
３４      ラクガキ用タッチペン
３５      シールプリンタ
３５１    プリントシール発行口
３６      料金徴収装置
３７      画像編成回路
３７１    演算装置（ＣＰＵ）
３７２    クロック回路
３７３    ＲＯＭ
３７４    ＲＡＭ
３７５    画像処理回路
３７６    正面カメラ制御回路
３７７    上部カメラ制御回路
３７８    データバス
３８１    サウンド回路
３８２    スピーカ
４  ａ，４ｂ  室内照明灯
【図１】
2005012503.tif 000003
【図２】
2005012503.tif 000004
【図３】
2005012503.tif 000005
【図４】
2005012503.tif 000006
【図５】
2005012503.tif 000007
【図６】
2005012503.tif 000008
【図７】
2005012503.tif 000009
【図８】
2005012503.tif 000010
【図９】
2005012503.tif 000011